(57)【特許請求の範囲】
【請求項１】
支持手段には注射器受け部を注射器の軸方向に摺動自在に取り付けると共に注射針を注射器から抜き取るための注射針抜き取り手段を備えた回動体を注射針を抜き取る方向に回動自在に枢着し、更に該回動体には該回動体を常時注射器受け部の一部に当接させると共に該回動体と注射器受け部とを元の位置に復帰させるための弾性を有する復帰手段を備えさせ、注射器受け部の当該一部は該回動体の注射針抜き取り手段よりも該回動体の回動軸に近い位置にて該回動体に当接するようにしたことを特徴とする注射針離脱器。
【請求項２】
容器にはその開口部にキャップを取り付け、該キャップには注射器受け部を内外方向に摺動自在に取り付けると共に該キャップには回動体を内外方向に回動自在になるように注射器受け部の内方に枢着し、該回動体には注射針を注射器から抜き取るための注射針抜き取り手段を備えさせ、更に該回動体には該回動体を常時注射器受け部の内側端に当接させると共に該回動体と注射器受け部とを元の位置に復帰させるための弾性を有する復帰手段を備えさせ、注射器受け部の当該内側端は該回動体の注射針抜き取り手段よりも該回動体の回動軸に近い位置にて該回動体に当接するようにしたことを特徴とする注射針離脱器。
【請求項３】
前記キャップは容器の開口部に対し着脱自在であることを特徴とする請求項２の注射針離脱器。
【請求項４】
前記回動体の内側端縁には常時は注射針の通路を塞ぐ注射針飛び出し防止手段を備えさせたことを特徴とする請求項２又は３の注射針離脱器。
【請求項５】
前記キャップには常時は注射針の通路を塞ぐ弾性を有する注射針飛び出し防止手段を取り付けたことを特徴とする請求項２又は３の注射針離脱器。
【請求項６】
前記回動体の注射針抜き取り手段には弾性を備えさせたことを特徴とする請求項１〜５のいずれかの注射針離脱器。
【請求項７】
前記キャップ又は容器には注射器からの離脱時に注射針を衝突させるアームを備えさせたことを特徴とする請求項２〜５のいずれかの注射針離脱器。
【請求項８】
前記注射器受け部には注射針における差込ヘッドの内側端を受けさせ、前記回動体の注射針抜き取り手段により注射針における針部のみを差込ヘッド及び注射器本体より離脱させるようにしたことを特徴とする請求項１〜７のいずれかの注射針離脱器。
【発明の詳細な説明】
【０００１】
【発明の属する技術分野】
本発明は、使用済みの注射器から注射針を離脱させるための注射針離脱器に関するものである。特許請求の範囲を含む本明細書における「注射器」には注射の目的に使用される器具の他採血のために使用される器具も含まれるものとする。
【０００２】
【従来の技術】
近年、エイズ、Ｂ型肝炎等の院内感染を防止するために、注射器については注射針のみならず注射器本体についても、一度使用したものは再使用することなく廃棄するという「使い捨て」が行なわれている。従って、廃棄される注射器の本数は極めて多いということになる。しかして、処理業者等の院外感染を防止するために、使用済みの注射器を廃棄する際には、注射器本体から注射針を取り外し、注射針を専用の容器に封入して廃棄し、又は注射針にキャップを被着した状態で注射針を注射器本体から取り外して注射器本体と共に廃棄するという手法が採られている。
【０００３】
しかるに、注射器本体から注射針を手で取り外し、注射針を専用の容器に封入する作業は面倒であるだけでなく、作業中に誤って手指等に注射針を突き刺してしまうおそれも皆無ではない。特に注射針にキャップを被着する際には注射針を手指等に突き刺してしまうことがしばしばある。使用済みの注射針を手指等に突き刺してしまうと、エイズ、Ｂ型肝炎等の院内感染を生じさせる原因となるおそれがある。
【０００４】
このような点に鑑み、特開平４−２４４１６７号公報は注射針に被着させる改良されたキャップを提供している。一方、特開平４−９６７６３号公報は注射針を注射器本体から取り外して回収するための注射針離脱回収器を提供している。この注射針離脱回収器は、針回収容器の面板に細長の針取外し孔を設け、該針取外し孔の左右縁部にて注射器本体の端面と注射針の差込ヘッド端面間の間隔に介入する針ガイドを形成し、該針ガイドを針取外し孔の一端から他端へテーパ形にし、該テーパ形針ガイドのテーパに従い上記間隔への介入を行なって注射針を取外し容器内へ落下させるようにしたものである。
【０００５】
【発明が解決しようとする課題】
しかるに、特開平４−２４４１６７号公報は単に注射針に被着させるキャップを提供するにとどまるものであり、このキャップを注射針に被着させた場合でもなお注射針を注射器本体から取り外す作業を行なわなければならないのである。また、特開平４−９６７６３号公報の注射針離脱回収器においては、注射針を注射器本体から取り外す際には注射器本体と注射針との間の僅かな隙間にくさびを入れるというような細かな動作と注射器本体を傾斜させるという動作とを行なわなければならないが、このような操作は面倒であり、急を要する病院業務には不向きである。本発明は、このような問題を解決し、極めて簡単な操作により且つ安全に注射針を注射器から離脱させて容器に収容するようにした注射針離脱器を提供するものである。
【０００６】
【課題を解決するための手段】
上記課題を解決するために、本発明は、支持手段には注射器受け部を注射器の軸方向に摺動自在に取り付けると共に注射針を注射器から抜き取るための注射針抜き取り手段を備えた回動体を注射針を抜き取る方向に回動自在に枢着し、更に該回動体には該回動体を常時注射器受け部の一部に当接させると共に該回動体と注射器受け部とを元の位置に復帰させるための弾性を有する復帰手段を備えさせ、注射器受け部の当該一部は該回動体の注射針抜き取り手段よりも該回動体の回動軸に近い位置にて該回動体に当接するようにしたことを特徴とする注射針離脱器（請求項１）を提供するものである。弾性を有する復帰手段は回動体と別体のものであっても差し支えないが、回動体と一体的に形成してもよい。
【０００７】
また、本発明は、容器にはその開口部にキャップを取り付け、該キャップには注射器受け部を内外方向に摺動自在に取り付けると共に該キャップには回動体を内外方向に回動自在になるように注射器受け部の内方に枢着し、該回動体には注射針を注射器から抜き取るための注射針抜き取り手段を備えさせ、更に該回動体には該回動体を常時注射器受け部の内側端に当接させると共に該回動体と注射器受け部とを元の位置に復帰させるための弾性を有する復帰手段を備えさせ、注射器受け部の当該内側端は該回動体の注射針抜き取り手段よりも該回動体の回動軸に近い位置にて該回動体に当接するようにしたことを特徴とする注射針離脱器（請求項２）を提供する。なお、特許請求の範囲を含む本明細書において、「内方」とは容器の内側に向かう方向（図１における下方）をいい、「外方」とは容器の外側に向かう方向（図１における上方）をいい、「内外方向」とは内方と外方との両方向をいい、「内側」とは内方側をいい、「外側」とは外方側をいう。
【０００８】
前記キャップは容器の開口部に対し着脱自在であってもよい（請求項３）。
【０００９】
前記回動体の内側端縁には常時は注射針の通路を塞ぐ注射針飛び出し防止手段を備えさせてもよい（請求項４）。
【００１０】
前記キャップには常時は注射針の通路を塞ぐ弾性を有する注射針飛び出し防止手段を取り付けてもよい（請求項５）。
【００１１】
前記回動体の注射針抜き取り手段には弾性を備えさせることが望ましい（請求項６）。
【００１２】
前記キャップ又は容器には注射器からの離脱時に注射針を衝突させるアームを備えさせることが望ましい（請求項７）。
【００１３】
前記注射器受け部には注射針における差込ヘッドの内側端を受けさせ、前記回動体の注射針抜き取り手段により注射針における針部のみを差込ヘッド及び注射器本体より離脱させるようにしてもよい（請求項８）。
【００１４】
【作用】
［請求項１の注射針離脱器］
請求項１の注射針離脱器において、使用済みの注射器から注射針を除去する際には、注射器本体の端面を注射器受け部に当接させた状態で該注射器本体を注射器受け部に押圧すればよい。しかるときは、注射器受け部は注射器の軸方向に摺動してその一部が弾性を有する復帰手段の力に抗して回動体を注射針を抜き取る方向に回動させる。すると、該回動体の注射針抜き取り手段が注射針に当接して注射針を抜き取る方向に回動することにより注射針を注射器から離脱させる。また、注射針が注射器から離脱した後、注射器本体を注射器受け部から離せば回動体に備えさせた弾性を有する復帰手段は回動体を元の位置に回動復帰させると共に注射器受け部を元の位置に摺動復帰させる。続いて、次の使用済みの注射器についても、上記と同様に注射針を離脱させる。
【００１５】
注射器受け部の一部は回動体の注射針抜き取り手段よりも該回動体の回動軸に近い位置にて該回動体に当接するようにしたため、注射器受け部の当該一部が動く距離は回動体の注射針抜き取り手段が動く距離よりも小さい。換言すれば、回動体の注射針抜き取り手段が動く距離は注射器受け部の当該一部が動く距離よりも大きい。従って、回動体の注射針抜き取り手段は注射針に当接した状態で大きく回動する結果、注射針は注射器から確実に離脱する。
【００１６】
［請求項２の注射針離脱器］
請求項２の注射針離脱器において、使用済みの注射器から注射針を除去する際には、注射器本体の端面を注射器受け部に当接させた状態で該注射器本体を内方に押圧すればよい。しかるときは、注射器受け部は内方に摺動してその内側端が弾性を有する復帰手段の力に抗して回動体を内方に回動させる。すると、該回動体の注射針抜き取り手段が注射針に当接して内方に回動することにより注射針を注射器から離脱させる。注射器から離脱した注射針は容器内に入る。また、注射針が注射器から離脱した後、注射器本体を注射器受け部から離せば回動体に備えさせた弾性を有する復帰手段は回動体を元の位置に回動復帰させると共に注射器受け部を元の位置に摺動復帰させる。続いて、次の使用済みの注射器についても、上記と同様に注射針を離脱させる。
【００１７】
注射器受け部の内側端は回動体の注射針抜き取り手段よりも該回動体の回動軸に近い位置にて該回動体に当接するようにしたため、注射器受け部の内側端が動く距離は回動体の注射針抜き取り手段が動く距離よりも小さい。換言すれば、回動体の注射針抜き取り手段が動く距離は注射器受け部の内側端が動く距離よりも大きい。従って、回動体の注射針抜き取り手段は注射針に当接した状態で大きく内方に回動する結果、注射針は注射器から確実に離脱する。
【００１８】
［請求項３の注射針離脱器］
請求項３の注射針離脱器においては、キャップは容器の開口部に対して着脱自在であるため、所定数の注射針が容器内に収容されたときには、キャップを容器から外し、該キャップに代えて注射針離脱手段を有しない通常の密閉用キャップを容器に嵌め付け、該容器を廃棄することができる。
【００１９】
［請求項４の注射針離脱器］
請求項４の注射針離脱器においては、注射針飛び出し防止手段は常時注射針の通路を塞いでいるため、容器内に入った注射針が容器の取り扱い中、運搬中等に容器から飛び出すことが防止される。注射針飛び出し防止手段は回動体の内側端縁に備えられているため、注射針離脱時には回動体と共に内方に回動して注射針の通路を開ける。
【００２０】
［請求項５の注射針離脱器］
請求項５の注射針離脱器においては、常時は注射針の通路を塞ぐ弾性を有する注射針飛び出し防止手段がキャップに取り付けられている。従って、容器内に入った注射針が容器の取り扱い中、運搬中等に容器から飛び出すことが防止される。注射針離脱時にはこの注射針飛び出し防止手段は注射針に押されて回動体から独立して内方に回動し、注射針の通路を開ける。
【００２１】
［請求項６の注射針離脱器］
請求項６の注射針離脱器においては、回動体の注射針抜き取り手段は弾性を備えているため、回動体の回動に伴い注射針抜き取り手段は注射針を適切な力で把持する。従って、注射針抜き取り手段は注射針を破壊することなく注射針により確実に当接し、注射針をより確実且つ円滑に注射器より離脱させる。
【００２２】
［請求項７の注射針離脱器］
請求項７の注射針離脱器においては、キャップ又は容器に備えさせたアームに注射器から離脱した注射針が衝突する。従って、注射器から離脱した注射針が容器内の底部に直接衝突して該底部に付き刺さるおそれはない。
【００２３】
［請求項８の注射針離脱器］
注射針における差込ヘッドの直径が注射器本体の直径とほぼ等しいような細径の注射器の場合には、注射器本体の端面を注射器受け部に受けさせることはできない。そこで、このような注射器の場合には、前記注射器受け部には注射針における差込ヘッドの内側端を受けさせ、前記回動体の注射針抜き取り手段により注射針における針部のみを差込ヘッド及び注射器本体より離脱させるようにするのである。差込ヘッドは注射器本体に取り付けられた状態のまま処理される。因みに、注射針における差込ヘッドの直径が注射器本体の直径とほぼ等しいような細径の注射器の場合には、差込ヘッドは合成樹脂製であり、金属製の針部は該差込ヘッドに接着剤により接着されているにすぎない。従って、金属製の針部を回動体の注射針抜き取り手段により合成樹脂製の差込ヘッドから引き抜くことは可能である。
【００２４】
【発明の実施の形態】
次に、本発明の実施の形態を添付図面に従って説明する。符号３に示すものは後述の注射器受け部と回動体とを支持する支持手段である。図１〜２０に示す事例においては、支持手段３は注射針を収容する容器１の開口部５に取り付けたキャップである。一方、図２７に示す事例においては、後述の注射器受け部と回動体とを支持する支持手段３’は机、テーブル等の天板である。図２７に示す事例においては、支持手段３’たる天板の下方に注射針を収容する容器１’が配設されている。
【００２５】
支持手段としてのキャップ３は該容器１の開口部５に着脱不能に固着してもよいが、図１〜２０に示す事例においてはキャップ３を該容器１の開口部５に着脱自在に取り付けている。即ち、一例として容器１の開口部５外周におねじを刻設し、キャップ３の対応内面にはめねじを刻設し、キャップ３を容器１の開口部５に螺合させる。図７、図８、図１１、図１６、図１８に示すキャップ３は二つの構成部材３ａ、３ｂを相互に嵌合することにより構成されている。
【００２６】
支持手段としてのキャップ３には注射器６を受ける注射器受け部９を注射器の軸方向、即ち内外方向、に摺動自在に取り付ける。図１、図２、図７、図８、図１１、図１２、図１６、図１８に示す事例においては、注射器受け部９は注射器本体７の端面７ａを受ける。また、キャップ３には一例として一対の回動体１１を注射針を抜き取る方向、即ち内外方向、に回動自在になるように注射器受け部９の内方に枢着する。符号１３は回動体１１の回動軸である。回動体１１には注射針１５を注射器６から抜き取るための注射針抜き取り手段１７を備えさせる。更に回動体１１には該回動体１１を常時注射器受け部９の一部、即ち内側端１９、に当接させると共に該回動体１１と注射器受け部９とを元の位置に復帰させるための弾性を有する復帰手段２１を備えさせる。
【００２７】
回動体１１の注射針抜き取り手段１７は弾性を備えたものであることが望ましいが、注射針抜き取り手段１７（１７ａ〜１７ｉ）の例を挙げれば下記の通りである。
【００２８】
（イ）回動体１１より一体的に突設したアーム部１７ａの先端に係止爪１７ｂを形成してなるもの（図１、図２）。この事例においては、回動体１１と注射針抜き取り手段１７とを合成樹脂により一体的に形成し、該注射針抜き取り手段１７に弾性を持たせている。アーム部１７ａの係止爪１７ｂは注射針１５の差込ヘッド１５ａに係止する。
【００２９】
（ロ）先端に係止爪１７ｄを備えたアーム部１７ｃを回動体１１に固定してなるもの（図７、図８、図１０〜１２）。この事例においては、アーム部１７ｃを弾性部材により構成することにより注射針抜き取り手段１７に弾性を持たせている。アーム部１７ｃの係止爪１７ｄは注射針１５の差込ヘッド１５ａに係止する。
【００３０】
（ハ）先端に係止爪１７ｅを備えたアーム部１７ｆを回動体１１に固定し、該アーム部１７ｆと回動体１１とを回動軸１３に対し可動としたもの（図９）。即ち、回動体１１に長孔２３を形成し、該長孔２３に回動体１１の回動軸１３を嵌め、更に回動体１１には該長孔２３に連なる切り欠き部２５を形成し、先端に係止爪１７ｅを備えたアーム部１７ｆを固定ねじ２７により回動体１１に固定すると共にアーム部１７ｆの基部１７ｇを切り欠き部２５に遊嵌する。この事例においては、アーム部１７ｆを弾性部材により構成すると共にアーム部１７ｆの基部１７ｇを切り欠き部２５内で遊動させることにより注射針抜き取り手段１７に弾性を持たせている。即ち、図９において、アーム部１７ｆの係止爪１７ｅが注射針１５の差込ヘッド１５ａに係止し、該差込ヘッド１５ａにより左方向の力を受けたときには、回動体１１は回動軸１３に対し左方に動き、弾性部材により構成されたアーム部１７ｆの基部１７ｇは回動軸１３により右方に押されて切り欠き部２５内で右方に屈曲する。
【００３１】
（ニ）回動体１１を注射針１５の両側傍に配設し、各回動体１１における注射針１５側の端縁に係止歯１７ｈを形成してなるもの（図１４）。この事例においては、各回動体１１の係止歯１７ｈは注射針１５における金属製の針部１５ｂを挟持し、回動体１１の内方への回動に伴って注射針１５の針部１５ｂを注射針１５における差込ヘッド１５ａより抜き取る。なお、この事例においては、回動体１１は後述の電気的駆動手段により内方に回動させることが望ましいが、図１〜８に示す如く機械的手段により回動させるようにしても差し支えない。
【００３２】
（ホ）キャップ３に取り付けた弾性体２９に回動体１１を内外方向に回動自在に枢着し、該回動体１１の先端に係止爪１７ｉを形成してなるもの（図１５）。符号１３’は回動体１１の回動軸である。この事例においては、回動体１１を注射針１５の近傍に一対配設してもよいが、図１５においては回動体１１を注射針１５の一方の側にのみ配設し、注射針１５の他方の側には歯車３１を回転自在に配設している。即ち、回動体１１は内方に回動する際にその係止爪１７ｉが注射針１５の差込ヘッド１５ａに当接してこれを内方に動かすのであるが、このとき注射針１５の差込ヘッド１５ａは回動体１１の係止爪１７ｉと歯車３１との間に挟持される。この事例においては、回動体１１をキャップ３に取り付けた弾性体２９に枢着することにより、注射針抜き取り手段１７に弾性を持たせている。なお、この事例においては、回動体１１は後述の電気的駆動手段により内方に回動させることが望ましいが、図１〜８に示す如く機械的手段により回動させるようにしても差し支えない。
【００３３】
回動体１１において注射器受け部９の前記一部、即ち内側端１９、は該回動体１１の注射針抜き取り手段１７よりも該回動体１１の回動軸１３に近い位置にて該回動体１１に当接するようになすことが望ましい。換言すれば、例えば図１、図２に示すように、注射器受け部９の内側端１９と回動体１１との当接位置は、回動体１１における注射針抜き取り手段１７と回動軸１３との中間部分となすことが望ましい。
【００３４】
図３、図４は図１、図２のキャップ３に取り付けられている注射器受け部９を示すものである。この注射器受け部９は注射器本体７の端面７ａを受ける凹部９’を備えている。注射器受け部９は筒状部３３とガイドピン３５とを内方に突設している。筒状部３３は回動体１１の注射針抜き取り手段１７に対応する切り欠き３７を備えている。注射器受け部９の前記内側端１９は注射器受け部９から内方に突設した突起である。
【００３５】
回動体１１に備えさせる前記弾性を有する復帰手段２１は、該回動体１１を常時注射器受け部９の前記一部、即ち内側端１９、に当接させると共に該回動体１１と注射器受け部９とを元の位置に復帰させ得るものであればいかなるものでもよい。弾性を有する復帰手段２１としては、例えば回動体１１に該回動体１１と別体のばねを取り付けてもよいが、図２８、図２９に示すように弾性を有する復帰手段（符号２１’参照）を回動体１１と一体的に形成してもよい。回動体１１を一対配設する場合には、例えば図１、図２、図６〜８、図１１〜１３に示すように、当該一対の回動体１１間に弾性を有する復帰手段２１としてのばねを取り付けてもよい。また、図１０に示すように、弾性を有する復帰手段２１としてのばねを各回動体１１毎に該回動体１１と回動軸１３との間に取り付けてもよい。
【００３６】
次に回動体を電気的駆動手段により回動させるようにした事例について図１１〜１５を参照して説明する。この事例においても電気的駆動手段を用いない上述の事例と共通する部品、部材、部分等については上述の事例と同じ符号を使用する。
【００３７】
電気的駆動手段を用いたこの事例においても支持手段３は注射針を収容する容器１の開口部５に取り付けたキャップである。即ち、容器１にはその開口部５にキャップ３を一例として着脱自在に取り付け、該キャップ３には注射器本体７の端面７ａを受ける注射器受け部９を設けると共に回動体１１を注射針を抜き取る方向、即ち内外方向、に回動自在に枢着し、該回動体１１には注射針１５を注射器６から抜き取るための注射針抜き取り手段１７を備えさせるという点においては、上述の事例と同じである。なお、図１４に示す事例においては、後述の如く、注射器受け部９は注射針１５における差込ヘッド１５ａの内側端１５ｃを受ける。以下、電気的駆動手段を用いない上述の事例と異なる点についてのみ説明する。
【００３８】
この事例においては、回動体１１は電気的駆動手段４１により内方に回動される。電気的駆動手段４１としては例えばソレノイドを用いる。図１１、図１２及び図１３（実線）においては、回動軸１３に支持されている回動体１１に直線的な駆動力を与えることにより該回動体１１を回動させる電気的駆動手段４１ａが使用されている。図１３（鎖線）においては、回動体１１又はその回動軸１３を直接回動させるモーターソレノイド等の電気的駆動手段４１ｂが用いられている。一対の回動体１１が配設されている場合には、図１３に示すように、一方の回動体１１を電気的駆動手段４１により回動させ、当該一方の回動体１１と他方の回動体１１との間に伝動手段を設け、該伝動手段を介して当該他方の回動体１１を回動させるようになすことが望ましい。即ち、図１３においては、一方の回動体１１には伝動アーム４３を突設し、他方の回動体１１には該伝動アーム４３を受ける凸部４５を形成している。この場合、一方の回動体１１が電気的駆動手段４１により内方に回動すると、伝動アーム４３も内方に回動して他方の回動体１１における凸部４５を内方に押す結果、当該他方の回動体１１も内方に回動するのである。なお、一対の回動体１１が配設されている場合、各回動体１１にそれぞれ格別の電気的駆動手段４１を使用するようにしても差し支えない。この場合、各回動体４１をそれぞれの電気的駆動手段４１により元の位置に復帰させるようにすれば、弾性を有する復帰手段２１は不要となる。図１４、図１５における回動体１１も例えば電気的駆動手段４１によりそれぞれ矢印の方向（内方）に回動される。
【００３９】
電気的駆動手段４１を用いたこの事例においては、注射器本体７の端面７ａ又は注射針１５における差込ヘッド１５ａの内側端１５ｃを注射器受け部９に押圧したときにこれを検知して回動体１１の電気的駆動手段４１を作動させるスイッチ手段５１を支持手段としてのキャップ３に配設する。図１１においては、キャップ３には注射器本体７の端面７ａ又は注射針１５における差込ヘッド１５ａの内側端１５ｃを受ける注射器受け部９を内外方向に摺動自在に取り付けているが、スイッチ手段は、符号５１ａに示す如く、注射器本体７の端面７ａ又は注射針１５における差込ヘッド１５ａの内側端１５ｃを注射器受け部９に押圧することによる該注射器受け部９の内方への動きを検知して回動体１１の電気的駆動手段４１を作動させるようにしてもよいし、また符号５１ｂに示す如く、該注射器受け部９の内方への動きによる回動体１１の内方への回動を検知して回動体１１の電気的駆動手段４１を作動させるようにしてもよい。一方、図１２においては、注射器本体７の端面７ａ又は注射針１５における差込ヘッド１５ａの内側端１５ｃを受ける注射器受け部９ａはキャップ３に一体的に形成されており、スイッチ手段は、符号５１ｃに示す如く、注射器本体７の端面７ａ又は注射針１５における差込ヘッド１５ａの内側端１５ｃによる押圧を直接検知して回動体１１の電気的駆動手段４１を作動させるようにしている。
【００４０】
上記いずれの事例においても、キャップ３又は容器１には注射器６からの離脱時に注射針１５を衝突させるアーム６１を備えさせることが望ましい。図１６、図１７に示す事例においては、アーム６１はキャップ３に取り付けられており、アーム６１の底部６３は注射器６から離脱した注射針１５の進行方向に対して傾斜している。この事例においては、キャップ３を容器１から取り外して使用した場合における危険が緩和される。一方、図１８、図１９に示す事例においては、アーム６１は容器１に取り付けられている。この事例においては、アーム６１は容器１と共に廃棄することができるため、衛生的に好ましいものであり、キャップ３はそのまま再使用することができる。
【００４１】
注射針１５における差込ヘッド１５ａの直径が注射器本体７の直径とほぼ等しいような細径の注射器の場合には、図１４に示すように、前記注射器受け部９には注射針１５における差込ヘッド１５ａの内側端１５ｃを受けさせ、前記回動体１１の注射針抜き取り手段１７により注射針１５における針部１５ｂのみを差込ヘッド１５ａ及び注射器本体７より離脱させるようにする。この場合、回動体１１を注射針１５の両側傍に配設し、各回動体１１における注射針１５側の端縁に係止歯１７ｈを形成してなる注射針抜き取り手段１７を使用することが望ましい。
【００４２】
図２１〜２４に示す事例においては、回動体１１の内側端縁には常時は注射針１５の通路１６を塞ぐ注射針飛び出し防止手段６５を備えさせている。注射針飛び出し防止手段６５は、一例として図２１、２２、２４に示すように、金属片により形成しこれを回動体１１内側端縁に取り付けてもよいが、図２３の符号６５’に示すように回動体１１の内側端縁に突出形成してもよい。
【００４３】
図２５に示す事例においては、キャップ３には常時は注射針１５の通路１６を塞ぐ弾性を有する注射針飛び出し防止手段６７を取り付けている。この注射針飛び出し防止手段６７は一例として金属片により形成する。
【００４４】
【発明の効果】
［請求項１の注射針離脱器］
請求項１の注射針離脱器においては、使用済みの注射器から注射針を除去する際には、単に注射器本体の端面を注射器受け部に当接させた状態で該注射器本体を注射器受け部に押圧すればよい。即ち、注射器本体を押圧する方向と注射針を注射器本体から離脱させる方向が同一であるため、操作に無理がなく、操作は極めて簡単である。注射針は回動体の注射針抜き取り手段により注射器本体から安全且つ確実に離脱する。
【００４５】
回動体の注射針抜き取り手段は注射針に当接した状態で注射針を抜き取る方向に大きく回動するため、注射針は注射器本体から極めて確実に離脱する。
【００４６】
［請求項２の注射針離脱器］
請求項２の注射針離脱器においては、支持手段として容器の開口部に取り付けたキャップを使用している。従って、注射器本体から抜き取られた注射針は該容器内に落下するので、注射針の抜き取り作業の安全性は極めて高い。
【００４７】
回動体の注射針抜き取り手段は注射針に当接した状態で内方に大きく回動するため、注射針は注射器本体から極めて確実に離脱する。
【００４８】
［請求項３の注射針離脱器］
請求項３の注射針離脱器においては、キャップは容器の開口部に対して着脱自在であるため、所定数の注射針が容器内に収容されたときには、キャップを容器から外し、該キャップに代えて注射針離脱手段を有しない通常の密閉用キャップを容器に嵌め付け、該容器を廃棄することができる。
【００４９】
［請求項４の注射針離脱器］
請求項４の注射針離脱器においては、注射針飛び出し防止手段は常時注射針の通路を塞いでいるため、容器内に入った注射針が容器の取り扱い中、運搬中等に容器から飛び出すことが防止される。
【００５０】
［請求項５の注射針離脱器］
請求項５の注射針離脱器においては、常時は注射針の通路を塞ぐ弾性を有する注射針飛び出し防止手段がキャップに取り付けられているため、容器内に入った注射針が容器の取り扱い中、運搬中等に容器から飛び出すことが防止される。
【００５１】
［請求項６の注射針離脱器］
請求項６の注射針離脱器においては、回動体の注射針抜き取り手段は弾性を備えているため、回動体の回動に伴い注射針抜き取り手段は注射針を破壊することなくより確実に注射針に当接し、注射針をより確実且つ円滑に注射器本体より離脱させる。
【００５２】
［請求項７の注射針離脱器］
請求項７の注射針離脱器においては、キャップ又は容器に備えさせたアームに注射器本体から離脱した注射針を衝突させるようにしたため、注射器本体から離脱した注射針が容器内の底部に直接衝突して該底部に付き刺さるおそれはない。
【００５３】
［請求項８の注射針離脱器］
請求項８の注射針離脱器においては、注射針における差込ヘッドの直径が注射器本体の直径とほぼ等しいような細径の注射器の場合には、注射針における針部のみを差込ヘッド及び注射器本体より容易に離脱させることができる。
【図面の簡単な説明】
【図１】本発明による注射針離脱器の一例を示す断面図である。
【図２】同上注射針離脱器において、注射器本体の端面を注射器受け部に当接させた状態で該注射器本体を内方に押圧したときの各部の動きを示す断面図である。
【図３】注射器受け部の一例を示す斜視図である。
【図４】同上注射器受け部の断面図である。
【図５】同上注射器受け部の別の断面図である。
【図６】キャップの一例を示す底面図である。
【図７】本発明による注射針離脱器の別の一例を示す断面図である。
【図８】同上注射針離脱器において、注射器本体の端面を注射器受け部に当接させた状態で該注射器本体を内方に押圧したときの各部の動きを示す断面図である。
【図９】注射針抜き取り手段の一例を示す側面図である。
【図１０】注射針抜き取り手段の別の一例と弾性を有する復帰手段を示す側面図である。
【図１１】本発明による注射針離脱器の更に別の一例を示す断面図である。
【図１２】本発明による注射針離脱器の更に別の一例を示す断面図である。
【図１３】一方の回動体と他方の回動体との間の伝動手段の一例を示す側面図である。
【図１４】本発明による注射針離脱器の更に別の一例を概略的に示す断面図である。
【図１５】回動体の別の一例を示す側面図である。
【図１６】本発明による注射針離脱器の更に別の一例を示す断面図である。
【図１７】アームの一例を示す断面図である。
【図１８】本発明による注射針離脱器の更に別の一例を示す断面図である。
【図１９】容器とアームとを示す斜視図である。
【図２０】アームの別の一例を示す斜視図である。
【図２１】本発明による注射針離脱器の更に別の一例を示す断面図である。
【図２２】図２１の注射針離脱器における注射針飛び出し防止手段を示す平面図である。
【図２３】回動体に注射針飛び出し防止手段を形成した状態を示す側面図である。
【図２４】図２１の注射針離脱器において、注射器本体の端面を注射器受け部に当接させた状態で該注射器本体を内方に押圧したときの各部の動きを示す断面図である。
【図２５】本発明による注射針離脱器の更に別の一例を示す断面図である。
【図２６】図２５の注射針離脱器における注射針飛び出し防止手段を示す平面図である。
【図２７】支持手段の一例を示す断面図である。
【図２８】本発明による注射針離脱器の更に別の一例を示す断面図である。
【図２９】図２８の注射針離脱器において、注射器本体の端面を注射器受け部に当接させた状態で該注射器本体を内方に押圧したときの各部の動きを示す断面図である。
【符号の説明】
１ 容器
１’ 容器
３ 支持手段
３’ 支持手段
３ａ 構成部材
３ｂ 構成部材
５ 開口部
６ 注射器
７ 注射器本体
７ａ 端面
９ 注射器受け部
９ａ 注射器受け部
９’ 凹部
１１ 回動体
１３ 回動軸
１３’ 回動軸
１５ 注射針
１５ａ 差込ヘッド
１５ｂ 針部
１５ｃ 内側端
１６ 通路
１７ 注射針抜き取り手段
１７ａ アーム部
１７ｂ 係止爪
１７ｃ アーム部
１７ｄ 係止爪
１７ｅ 係止爪
１７ｆ アーム部
１７ｇ 基部
１７ｈ 係止歯
１７ｉ 係止爪
１９ 内側端
２１ 弾性を有する復帰手段
２１’ 弾性を有する復帰手段
２３ 長孔
２５ 切り欠き部
２７ 固定ねじ
２９ 弾性体
３１ 歯車
３３ 筒状部
３５ ガイドピン
３７ 切り欠き
４１ 電気的駆動手段
４１ａ 電気的駆動手段
４１ｂ 電気的駆動手段
４３ 伝動アーム
４５ 凸部
５１ スイッチ手段
５１ａ スイッチ手段
５１ｂ スイッチ手段
５１ｃ スイッチ手段
６１ アーム
６３ 底部
６５ 注射針飛び出し防止手段
６５’ 注射針飛び出し防止手段
６７ 注射針飛び出し防止手段
【図１】
0003841110.tif 000002
【図２】
0003841110.tif 000003
【図３】
0003841110.tif 000004
【図４】
0003841110.tif 000005
【図５】
0003841110.tif 000006
【図６】
0003841110.tif 000007
【図７】
0003841110.tif 000008
【図８】
0003841110.tif 000009
【図９】
0003841110.tif 000010
【図１０】
0003841110.tif 000011
【図１１】
0003841110.tif 000012
【図１２】
0003841110.tif 000013
【図１３】
0003841110.tif 000014
【図１４】
0003841110.tif 000015
【図１５】
0003841110.tif 000016
【図１６】
0003841110.tif 000017
【図１７】
0003841110.tif 000018
【図１８】
0003841110.tif 000019
【図１９】
0003841110.tif 000020
【図２０】
0003841110.tif 000021
【図２１】
0003841110.tif 000022
【図２２】
0003841110.tif 000023
【図２３】
0003841110.tif 000024
【図２４】
0003841110.tif 000025
【図２５】
0003841110.tif 000026
【図２６】
0003841110.tif 000027
【図２７】
0003841110.tif 000028
【図２８】
0003841110.tif 000029
【図２９】
0003841110.tif 000030